(57)【要約】【課題】  生画像データ（ＣＣＤ−ＲＡＷデータ）により表される画像の詳細な内容を高速に確認できるようにする。【解決手段】  ＣＣＤ−ＲＡＷデータに対する内容確認等の所定の作業の指示により、確認画像生成部１４が、ＣＣＤ−ＲＡＷデータにより表される画像の内容を確認するための、例えばメガピクセル以上の所望とする解像度を有する確認画像を生成する。生成された確認画像はＣＣＤ−ＲＡＷデータと関連づけてられて保存部１１に保存される。同一のＣＣＤ−ＲＡＷデータについて再度の所定の作業の指示があった場合には、保存された確認画像を再生する。【選択図】          図１
2007036313.tif 000002
【特許請求の範囲】
【請求項１】
生画像データに対する所定の作業の指示により、前記生画像データにより表される画像の内容を確認するための、所望とする解像度を有する確認画像を生成する確認画像生成手段と、
前記確認画像を前記生画像データと関連づけて保存する画像保存手段とを備えたことを特徴とする画像処理装置。
【請求項２】
生画像データに対する所定の作業の指示により、前記生画像データにより表される画像の内容を確認するための、所望とする解像度を有する確認画像を生成し、
前記確認画像を前記生画像データと関連づけて保存することを特徴とする画像処理方法。
【請求項３】
生画像データに対する所定の作業の指示により、前記生画像データにより表される画像の内容を確認するための、所望とする解像度を有する確認画像を生成する手順と、
前記確認画像を前記生画像データと関連づけて保存する手順とを有することを特徴とする画像処理方法をコンピュータに実行させるためのプログラム。
【発明の詳細な説明】
【技術分野】
【０００１】
本発明は、画像データ、とくに生画像データを取り扱うことが可能な画像処理装置および方法並びに画像処理方法をコンピュータに実行させるためのプログラムに関するものである。
【背景技術】
【０００２】
一般的なデジタルカメラは、ＣＣＤ等の撮像素子から得られる画像信号を８ビットから１４ビットのデジタルデータに変換し、様々な信号処理を施した後、ＪＰＥＧ符号化等の圧縮方式に従って圧縮して記録媒体に記録するようになっている。この種のデジタルカメラでは、画像記録時に非可逆圧縮を施すため、再生時やプリント時に必ずしも充分に良好な画質が得られない場合がある。また、記録された画像は、既に様々な信号処理が施されているため、ユーザ自身が再生画像に対してさらなる信号処理を施すと画質が劣化する場合がある。
【０００３】
これに対して、カメラ内で信号処理を実施せず、撮像素子から出力される画素毎のアナログ信号をＡ／Ｄ変換後、信号処理を加えないで状態で生画像データ（以下、ＣＣＤ−ＲＡＷデータとする）をそのまま記録する方式が提案されている。
【０００４】
ここで、ＣＣＤ−ＲＡＷデータは、ＪＰＥＧデータと異なり、デジタルカメラの液晶モニタに再生表示する上で必要な信号処理が施されていないため、ＣＣＤ−ＲＡＷデータの再生時には、同時化、ホワイトバランス調整処理、ガンマ調整等の必要な信号処理をすべて行わなければならず、時間を要する。このため、デジタルカメラ上の再生、コマ送りが快適に行われなくなり、ユーザに不快感を与えることになる。
【０００５】
このため、画像の撮影時にデジタルカメラにおいて直ちに再生可能なフォーマット（例えばＪＰＥＧフォーマット）の確認用の画像を生成し、これをＣＣＤ−ＲＡＷデータに付与して保存する手法が提案されている（特許文献１参照）。この手法によれば、確認用の画像を再生することにより、ＣＣＤ−ＲＡＷデータの内容を直ちに確認することができる。
【０００６】
また、ＣＣＤ−ＲＡＷデータを事前に縮小しておき、画像の確認時には縮小したＣＣＤ−ＲＡＷデータに信号処理を施すことにより、信号処理のための処理時間を短縮して確認用の画像を再生する手法も提案されている（特許文献２参照）。
【特許文献１】特開２００３−２４４５０７号公報
【特許文献２】特開２００３−３４６１４３号公報
【発明の開示】
【発明が解決しようとする課題】
【０００７】
しかしながら、上記特許文献１に記載の手法により得られる確認用の画像は、例えば画像のサイズが１６０×１２０程度しかないため、画像の細部を確認することができない。また、画像の細部を確認しようとした場合、ＣＣＤ−ＲＡＷデータに対して信号処理を施す必要があるため、画像の再生に時間を要する。
【０００８】
また、上記特許文献２に記載の手法であっても、ＣＣＤ−ＲＡＷデータを縮小するための時間、および縮小したＣＣＤ−ＲＡＷデータに信号処理を施す時間を要するため、必ずしも高速に画像を再生することができない。また、ＣＣＤ−ＲＡＷデータを縮小しているため、確認用の画像に偽色が発生し、画像の確認作業に支障を来す可能性がある。
【０００９】
本発明は上記事情に鑑みなされたものであり、ＣＣＤ−ＲＡＷデータにより表される画像の詳細な内容を高速に確認できるようにすることを目的とする。
【課題を解決するための手段】
【００１０】
本発明による画像処理装置は、生画像データに対する所定の作業の指示により、前記生画像データにより表される画像の内容を確認するための、所望とする解像度を有する確認画像を生成する確認画像生成手段と、
前記確認画像を前記生画像データと関連づけて保存する画像保存手段とを備えたことを特徴とするものである。
【００１１】
「生画像データ」とは、撮影により画像を取得するデジタルカメラ内で信号処理を実施せず、撮像素子から出力される画素毎のアナログ信号をＡ／Ｄ変換後、信号処理を加えないで状態で取得されれる画像データを意味する。
【００１２】
「所定の作業の指示」としては、生画像データにより表される画像の再生およびプリント出力等、生画像データにより表される画像を視認可能とするための指示を意味する。
【００１３】
「所望とする解像度」としては、確認画像を再生した際に生画像データにより表される画像の詳細を確認できる程度の解像度であり、具体的には少なくともメガピクセル程度の解像度であることが好ましいが、要求される作業の程度に応じて２メガピクセル等、より高い解像度を所望とする解像度としてもよいものである。
【００１４】
本発明による画像処理方法は、生画像データに対する所定の作業の指示により、前記生画像データにより表される画像の内容を確認するための、所望とする解像度を有する確認画像を生成し、
前記確認画像を前記生画像データと関連づけて保存することを特徴とするものである。
【００１５】
なお、本発明による画像処理方法をコンピュータに実行させるためのプログラムとして提供してもよい。
【発明の効果】
【００１６】
本発明によれば、生画像データに対する所定の作業の指示により、生画像データにより表される画像の内容を確認するための所望とする解像度を有する確認画像が生成され、これが生画像データと関連づけられて保存される。このため、同一の生画像データに対する再度の所定の作業の指示があった場合には、生画像データと関連づけられて保存されている確認画像を再生することにより、迅速に生画像データにより表される画像の内容を確認することができる。また、確認画像は所望とする解像度を有するため、画像の詳細な内容を確認することができる。
【発明を実施するための最良の形態】
【００１７】
以下、図面を参照して本発明の実施形態について説明する。図１は本発明の画像処理装置の構成を示す概略ブロック図である。図１に示すように、本実施形態による画像処理装置１は、ＣＣＤ−ＲＡＷデータを含む各種データを保存するハードディスク等の保存部１１と、各種表示を行う液晶モニタ等の表示部１２と、各種入力を受け付けるキーボードおよびマウス等からなる入力部１３と、確認画像を生成する確認画像生成部１４と、画像処理装置１の動作を制御するための制御部１５とを備える。
【００１８】
確認画像生成部１４は、ＣＣＤ−ＲＡＷデータを再生することによる内容確認の指示がなされると、指示のあったＣＣＤ−ＲＡＷデータを保存部１１から読み出し、ＣＣＤ−ＲＡＷデータに対して信号処理を施して、所望とする解像度を有する確認画像を生成する。なお、本実施形態においては、制御部１５が保存部１１に保存されているＣＣＤ−ＲＡＷデータのファイル名のリストを表示部１２に表示する。そして表示されたリストからのＣＣＤ−ＲＡＷデータのファイル名の選択の指示を受け付けることにより、ＣＣＤ−ＲＡＷデータの内容確認の指示を受け付ける。
【００１９】
ここで、所望とする解像度としては例えばメガピクセル程度の解像度を用いることができるが、これ以上の解像度であればメガピクセルに限定されるものではない。
【００２０】
また、信号処理としては、ＣＣＤ−ＲＡＷデータの同時化処理、ホワイトバランス調整処理、ガンマ処理およびリサイズ処理等が挙げられる。
【００２１】
制御部１５は、ＣＰＵとメモリを備えた制御基板もしくは半導体装置等からなり、制御部１５のメモリには、保存部１１、表示部１２、入力部１３および確認画像生成部１４を制御するためのプログラムが記憶されている。本実施形態による画像処理装置１が行う処理は、このプログラムにより制御される。
【００２２】
また、制御部１５は、確認画像生成部１４が確認画像を生成すると、確認画像の画像データとＣＣＤ−ＲＡＷデータとを関連づけて保存部１１に保存する。具体的には、確認画像の画像データのファイル名をＣＣＤ−ＲＡＷデータのファイル名の拡張子のみを変更したものとすることにより、確認画像の画像データとＣＣＤ−ＲＡＷデータとを関連づけることができる。例えば、ＣＣＤ−ＲＡＷデータのファイル名がDSCF0001.RAFであった場合に、確認画像のファイル名をDSCF0001.RAGとすることにより、確認画像の画像データとＣＣＤ−ＲＡＷデータとを関連づけることができる。
【００２３】
なお、図２に示すように、ＣＣＤ−ＲＡＷデータのファイル名と確認画像のファイル名とを対応づけたデータベースＤＢ１を生成することにより、確認画像の画像データとＣＣＤ−ＲＡＷデータとを関連づけるようにしてもよい。
【００２４】
次いで、本実施形態において行われる処理について説明する。図３は本実施形態においてＣＣＤ−ＲＡＷデータに対して内容確認の指示がなされた場合に行われる処理のフローチャートである。本実施形態による画像処理装置１のユーザがＣＣＤ−ＲＡＷデータのファイル名のリストの表示の指示を行うことにより制御部１５が処理を開始し、ＣＣＤ−ＲＡＷデータのファイル名のリストを表示部１２に表示する（ステップＳＴ１）。そして、内容確認の指示がなされたか否かの監視を開始し（ステップＳＴ２）、ステップＳＴ２が肯定されると、確認画像生成部１４が、指示がなされたＣＣＤ−ＲＡＷデータを保存部１１から読み出して信号処理を施して確認画像を生成し（ステップＳＴ３）、制御部１５が確認画像を表示部１２に表示する（ステップＳＴ４）。
【００２５】
さらに制御部１５は、確認画像の画像データをＣＣＤ−ＲＡＷデータと関連づけて保存部１１に保存し（ステップＳＴ５）、処理を終了する。
【００２６】
図４は本実施形態において、確認画像が生成された後の、ＣＣＤ−ＲＡＷデータに対して内容確認の指示がなされた場合に行われる処理のフローチャートである。本実施形態による画像処理装置１のユーザがＣＣＤ−ＲＡＷデータのファイル名のリストの表示の指示を行うことにより制御部１５が処理を開始し、ＣＣＤ−ＲＡＷデータのファイル名のリストを表示部１２に表示する（ステップＳＴ１１）。そして、内容確認の指示がなされたか否かの監視を開始し（ステップＳＴ１２）、ステップＳＴ１２が肯定されると、制御部１５は指示されたＣＣＤ−ＲＡＷデータと関連づけられた確認画像の画像データが保存部１１に保存されているか否かを判定する（ステップＳＴ１３）。
【００２７】
ステップＳＴ１３が否定されると、図３のステップＳＴ３に進む。ステップＳＴ１３が肯定されると、関連づけられて保存されている確認画像を表示部１２に表示し（ステップＳＴ１４）、処理を終了する。
【００２８】
このように、本実施形態によれば、ＣＣＤ−ＲＡＷデータの内容確認の指示により、所望とする解像度を有する確認画像を生成し、生成した確認画像の画像データをＣＣＤ−ＲＡＷデータと関連づけて保存するようにしたものである。このため、同一のＣＣＤ−ＲＡＷデータについて再度の内容確認の指示があった場合には、ＣＣＤ−ＲＡＷデータと関連づけられて保存されている確認画像を再生することにより、迅速にＣＣＤ−ＲＡＷデータにより表される画像の内容を確認することができる。また、確認画像は少なくともメガピクセルの所望とする解像度を有するため、画像の詳細な内容を確認することができる。
【００２９】
なお、上記実施形態においては、ＣＣＤ−ＲＡＷデータの内容確認の指示により確認画像を生成しているが、プリント出力等の指示により確認画像を生成するようにしてもよい。
【００３０】
また、上記実施形態においては、本発明による画像処理装置を単体で用いているが、本発明による画像処理装置をデジタルカメラに設けるようにしてもよい。この場合、保存部１１はデジタルカメラにメモリカードに、表示部１２はデジタルカメラの液晶モニタに、入力部１３はデジタルカメラの各種設定ボタンにそれぞれ対応するものとなる。
【００３１】
以上、本発明の実施形態に係る装置１について説明したが、コンピュータを、上記の確認画像生成部１４および制御部１５に対応する手段として機能させ、図３および図４に示すような処理を行わせるプログラムも、本発明の実施形態の１つである。また、そのようなプログラムを記録したコンピュータ読み取り可能な記録媒体も、本発明の実施形態の１つである。
【図面の簡単な説明】
【００３２】
【図１】本発明の画像処理装置の構成を示す概略ブロック図
【図２】ＣＣＤ−ＲＡＷデータのファイル名と確認画像のファイル名とを対応づけたデータベースを示す図
【図３】本実施形態においてＣＣＤ−ＲＡＷデータに対して内容確認の指示がなされた場合に行われる処理のフローチャート
【図４】確認画像が生成された後の、ＣＣＤ−ＲＡＷデータに対して内容確認の指示がなされた場合に行われる処理のフローチャート
【符号の説明】
【００３３】
１      画像処理装置
１１    保存部
１２    表示部
１３    入力部
１４    確認画像生成部
１５    制御部
【図１】
2007036313.tif 000003
【図２】
2007036313.tif 000004
【図３】
2007036313.tif 000005
【図４】
2007036313.tif 000006